(57)【要約】様々な携帯型アイテム保持して収容するためのパッケージが、ここに開示される。事前成形トレイは、任意のサイズ及び形状の携帯型アイテムを受け入れて収容するように構成される。トレイは、アイテムを積んでスライドカードに取り付けられ、外側スリーブに挿入される。受け入れ凹所は、アイテムをトレイに保持する。カードあるいはトレイに一体化された係合エレメントは、外側スリーブに一体化されたロックエレメント及びストッパエレメントに協働して係合する。エレメントの協働係合は、対小児安全機能と落下防止機能とを提供する。リリースエレメントは、対小児安全機能を解除する。
2007511433.tif 000002
【特許請求の範囲】
【請求項１】
アイテムを受け入れて固定するための装置において：
係合エレメントと少なくとも１つのトレイ受け入れ領域とを備えたスライドカードと；
少なくとも１つの携帯型アイテムを受け入れて保持するように構成される、前記トレイ受け入れ領域に取り付けられた少なくとも１つの事前成形トレイと；
ロック位置で前記係合エレメントに接続されるように構成されたロックエレメントを含む、前記カード及び取り付けられたトレイを受け入れるように構成された外側スリーブと；
前記ロックエレメントから前記係合エレメントを外すように構成される、前記外側スリーブに一体化されたリリースエレメントと；
を備えていることを特徴とする装置。
【請求項２】
請求項１に記載の装置において、
前記カードが第１の材料から構成され、前記トレイが第２の材料から構成されていることを特徴とする装置。
【請求項３】
請求項２に記載の装置において、
前記第２の材料がプラスチックであることを特徴とする装置。
【請求項４】
請求項１に記載の装置において、
前記係合エレメントが前記トレイに位置していることを特徴とする装置。
【請求項５】
請求項１に記載の装置において、
前記トレイが、前記携帯型アイテムを受け入れて保持するように構成された少なくとも１つの受け入れ凹所を備えていることを特徴とする装置。
【請求項６】
請求項１に記載の装置において、
前記外側スリーブが、ストップ位置で前記係合エレメントを接続するように構成された内部孔をさらに備えていることを特徴とする装置。
【請求項７】
アイテムを受け入れて保持するための装置において：
少なくとも第１のパネルと該第１のパネルに配置された少なくとも１つのトレイ受け入れ領域とを含む、第１の材料から構成されたスライドカードと；
前記トレイ受け入れ領域で前記カードに取り付けられる、第２の材料から構成されるとともに少なくとも１つの受け入れ凹所を含む少なくとも１つの事前成形トレイと；
空洞を画成し、前記カード及び取り付けられたトレイを前記空洞内に及び前記空洞から移動させうるように構成された開口端部を含む外側スリーブと；
を備えていることを特徴とする装置。
【請求項８】
請求項７に記載の装置において、
前記スライドカードが、前記第１のパネル及び前記トレイのうちの少なくとも一方に接続された係合エレメントをさらに備えていることを特徴とする装置。
【請求項９】
請求項８に記載の装置において、
前記外側スリーブが、ロック位置で前記係合エレメントにリリース可能に接続されるように構成されたロックエレメントをさらに備えていることを特徴とする装置。
【請求項１０】
請求項９に記載の装置において、
前記外側スリーブが、前記ロックエレメントから前記係合エレメントを外すように構成されたリリースをさらに備えていることを特徴とする装置。
【請求項１１】
請求項１０に記載の装置において、
前記外側スリーブが、ストップ位置で前記係合エレメントに接続されるように構成されたストッパエレメントをさらに備えていることを特徴とする装置。
【請求項１２】
アイテムを受け入れて固定するための装置において：
係合手段と少なくとも１つのトレイ受け入れ領域とを含むスライドカードと；
少なくとも１つの携帯型アイテムを受け入れて保持するように構成される、前記トレイ受け入れ領域に取り付けられた少なくとも１つの事前成形トレイと；
開口端部と前記係合手段をロックするための手段とを含む、前記カード及び取り付けられたトレイを受け入れるように構成された空洞を画成する外側スリーブと；
前記ロック手段から前記係合手段を外すように構成される、前記外側スリーブに一体化されたリリース手段と；
を備えていることを特徴とする装置。
【請求項１３】
請求項１２に記載の装置において、
前記係合手段が、前記ロック手段に協働して接続されるように構成される、前記カード及び前記トレイのうちの少なくとも一方に位置するエレメントを備えていることを特徴とする装置。
【請求項１４】
請求項１３に記載の装置において、
前記ロック手段が、前記係合手段に協働して接続されるように構成される、前記空洞内に位置するエレメントを備えていることを特徴とする装置。
【請求項１５】
請求項１４に記載の装置において、
前記リリース手段が、前記外側スリーブの外部に沿うとともに前記ロックエレメントに近接して位置する機構を備えていることを特徴とする装置。
【請求項１６】
請求項１２に記載の装置において、
ストッパ手段をさらに備えていることを特徴とする装置。
【請求項１７】
隣接する複数のパネルから形成された折り曲げ可能トレイカードにおいて：
第１の縁部と離間したヒンジとによって画成された係合パネルと；
前記ヒンジと離間した第２の縁部とによって画成された第２のパネルと；
前記第２のパネルに一体化されたトレイと；
アイテムを受け入れて保持するように構成される、前記トレイ内に位置する少なくとも１つの受け入れ凹所と；
前記アイテムに折り重なってカバーするように構成される、前記第２の縁部及び前記トレイのうちの少なくとも一方に折り曲げ可能に取り付けられた第３のパネルと；
を備えていることを特徴とする折り曲げ可能トレイカード。
【請求項１８】
請求項１７に記載の装置において、
前記パネル及び前記トレイが、熱成形プロセスを使用して製造されていることを特徴とする装置。
【請求項１９】
請求項１７に記載の装置において、
前記パネル及び前記トレイが、射出成形プロセスを使用して製造されていることを特徴とする装置。
【請求項２０】
アイテムへのアクセスを阻止する方法において：
基部パネルを備えたスライドカードを提供するステップと；
少なくとも１つの受け入れ凹所を備えた事前成形トレイを前記基部パネルに取り付けるステップと；
前記カード及び前記トレイのうちの少なくとも一方に関連する係合手段を提供するステップと；
前記受け入れ凹所にアイテムを置くステップと；
開口端部と隣接する空洞とを有し、ロック手段をさらに備えた外側スリーブを提供するステップと；
前記カードを前記開口端部に位置合わせするステップと；
前記係合手段を前記ロック手段に方向付けるステップと；
前記カード及びトレイを前記空洞内に完全に挿入するステップと；
前記係合手段と前記ロック手段とをリリース可能に接続するステップと；
を備えていることを特徴とする方法。
【請求項２１】
請求項２０に記載の方法において、
前記外側スリーブを提供するステップが、リリース手段を有する外側スリーブを提供するステップをさらに備え、前記リリース手段が、前記係合手段と前記ロック手段とを外すように構成されていることを特徴とする方法。
【請求項２２】
請求項２１に記載の方法において、
前記トレイを前記空洞から少なくとも部分的に引き出すために、前記リリース手段を操作するステップをさらに備えていることを特徴とする方法。
【請求項２３】
請求項２２に記載の方法において、
前記アイテムを前記凹所から取り出すステップをさらに備えていることを特徴とする方法。
【発明の詳細な説明】
【技術分野】
【０００１】
本願は、２００３年１１月１３日に出願された出願中の米国仮出願６０／５２０，１４３の優先権を主張するものである。既に出願されたその出願のすべての開示は、参照によってここに組み込まれる。
【０００２】
この発明は、外側スリーブに挿入されるよう構成されたトレイ上に携帯型アイテムを収容するパッケージに関するものである。このパッケージは、トレイがスリーブから引き出されることを防止する１つ以上の内部あるいは外部ロックを有しうる。このパッケージは、トレイによって保持されたアイテムにアクセスするために多くの回数開閉することができる、小児に安全で高齢者にも使いやすいパッケージを提供する。
【背景技術】
【０００３】
従来の製薬パッケージングは、製造者及び最終消費者の双方にとっての問題を生じさせる、薬供給デバイスに関する欠点を有している。例えば、製品を分離してパッド入れするための発泡エレメントを組み込んだパッケージングでは、シリンジ、バイアル、吸入器、パッチ、テストキット、あるいはそのパーツを分配することが知られている。そのような従来のパッケージングは通常は製品を垂直位置で保持するが、従来のパッケージングが製品を水平位置で保持する場合には、一般に製品が互いの頂部の上に積み重ねられる。また、従来のボックスにおいて製品を保持して保護するためのいかなる手段もなしに、薬供給デバイスをばらで（個別には包まれているがばらで）分配することも知られている。
【発明の開示】
【発明が解決しようとする課題】
【０００４】
製品を保護するためのそのパッケージングにおいて成形あるいはプラスチックエレメントを組み込む従来の製造者は、在庫が増え、かつ、そのパッケージングを製造するためのより複雑な製造システムを用いている。さらに、従来の製造者は一般に、自動化された手段によって行われる１つの種類のパッケージと、在庫及び製品ラインの数を増やす、手によって行われる他の種類と、を製造する。
【０００５】
薬供給デバイスパッケージングの従来の製造者は一般に、未許可のアクセスを防止するための対小児安全機能、あるいは不測の落下を防止するためのストッパ機能を提供しない。これらの特徴は、限られた器用さを有する最終消費者にとっての容易なアクセスを犠牲にして存在している。また、周知の薬供給デバイスパッケージングは、限られた視力を有する最終消費者にとっての用量順守指示及び注意などの適切にサイズ設定された画像を配置するための十分なスペースを提供しない。
【０００６】
加えて、従来の製造者は、（輸送コスト削減の観点から）薬供給デバイスをタイトにかつ可能な限り最も効率的な方法でパックするが、これはまた、手及び指の関節炎を有する最終消費者のような限られた身体的移動性を有する最終消費者を犠牲にする。また、従来の製造者は、全体のデバイス及びパーツを一時に分配するのではなく、全体として組み立てられた薬供給デバイスのみを一時に、あるいはデバイスのパーツのみを一時に分配することも知られている。例えば、同一のプラットホームでシリンジ及びバイアルを一時に分配するのではなく、同一のプラットホームでシリンジを一時に、あるいはバイアルを一時に分配することが知られている。
【０００７】
最終消費者は、薬供給デバイスの使用によって生じる廃棄問題をよく知っている。一般に、使い終ったパッチ、バイアル、ニードル、吸入器、シリンジ、バレル、及びその他のデバイスあるいはパーツは、密封されるべきであるか、さもなければ安全に廃棄されるように保護されるべきである。密封されたプラスチック容器のような別個のデバイスにシリンジ及びニードルを廃棄することが知られている一方で、廃棄の安全手段としても機能する薬供給デバイスパッケージングの必要性が存在している。
【０００８】
改善された製造プロセスを許容し、対小児安全機能及び落下防止機能を含み、最終消費者の必要に応じて様々な物体を収容し、限られた器用さを有する最終消費者による簡単なアクセスのために適合され、画像を受け入れる十分な領域を有し、かつ、安全廃棄のための手段を提供する、あらゆる種類の薬供給デバイス及びそのパーツを保持して保護する装置の必要性が存在することが、パッケージング技術の調査から明らかである。
【課題を解決するための手段】
【０００９】
本発明は、外側スリーブ内に挿入される内側スライドカード／トレイを備えたパッケージングを提供することにより、上述した要求を満たすものである。いくつかの実施例では、外側スリーブ及び内側スライドカード／トレイは両方とも、ロック手段、リリース手段、及びストッパ手段を生じさせるように他のものと協働して係合するように構成されたエレメントを備えている。
【００１０】
代表的な実施例では、係合手段は、カードあるいはトレイに一体化されるかあるいは取り付けられた、パネル、タブ、キャッチ、リブ、キャッチ、受面、縁部、切欠き、孔、及びその他のエレメントなどを含んでおり、これらは、外側スリーブに関連した類似のエレメントに接続されるように構成されて、ここではロック手段として参照されている。リリース手段は、外側スリーブに一体化されるかあるいは取り付けられた、パネル、タブ、リブ、受面、縁部、切欠き、キャッチ、孔、及びその他のエレメントなどを含んでおり、これらは、係合されるかあるいはロックされたエレメントを外すように構成されている。したがって、本発明は、オプションの対小児安全機能を提供する。ストッパ手段は、カードあるいはトレイに一体化されるかあるいは取り付けられた、パネル、タブ、リブ、キャッチ、受面、孔、縁部、切欠き、及びその他のエレメントなどを備えており、これらは、外側スリーブに関連した類似のエレメントに噛み合って係合するように構成されている。したがって、本発明は、ユーザーがトレイを外側スリーブから完全に引き出すのを防止する、オプションの落下防止機能を提供する。
【００１１】
代替実施例は、薬供給デバイスを保持して収容する装置及び方法を含んでおり、該薬供給デバイスは、限定されない一例としてプランジャを不注意な起動から保護し；ニードルを不注意による露出から保護し；取り出し及び交換のために薬で満たされた容器への容易なアクセスを許容し；使い終ったデバイスを集めて収容するように構成された内側トレイを提供する。したがって、本発明の実施例は、事前に充填されたシリンジ、ニードル、バイアル、アンプル、保護シールド、パッチ、吸入器、及びそのパーツなどの類似のデバイスを含む、経皮、経口、あるいは皮下投与のための薬供給デバイスを安全に搬送することができ、未使用のデバイスを安全に収容でき、かつ、すべてがユニットとして安全に廃棄されることができるまで使用されたデバイスを収容しうる装置及びシステムを提供する。
【００１２】
実施例は、板紙カードに取り付けられた事前成形トレイと、モノリシック的に形成されたカード／トレイとの組み合わせを含んでいる。薬物あるいは治療に関連した順守情報あるいは一般情報は、ユーザーが容易に見えるように、スライドカード、トレイ、あるいは外側スリーブの上に、あるいはこれらとともに位置しうる。１つの実施例では、（限定されないが、時刻、曜日、順番、投与量などの）証印が、デバイスに隣接して位置する。
【００１３】
本発明の他の実施例は、係合タブとトレイ受け入れ領域とを有するスライドカードを備えている。少なくとも１つの携帯型アイテムを受け入れて保持するように構成された少なくとも１つの事前成形トレイは、トレイ受け入れ領域に取り付けられうる。カード及び取り付けられたトレイを受け入れる外側スリーブは、ロック位置でタブに係合するように構成されたロック縁部を備えている。外側スリーブはまた、ロック位置からタブを外すように構成された、一体化されたリリースを有している。本発明のさらに他の実施例は、基部パネルと該基部パネル上に配置されるトレイ受け入れ領域とを有した、１つの材料から構成されたスライドカードを含んでいる。少なくとも１つの受け入れ凹所を有する、異なる材料から構成された事前成形トレイは、トレイ受け入れ領域でカードに取り付けられている。両方とも、外側スリーブによって画成された空洞内に、スリーブの開口端部を通して完全に挿入されうる。本発明の他の実施例は、スライドカード及び外側スリーブの組み合わせによって規定されている。ここで、スライドカードは、係合手段と少なくとも１つのトレイ受け入れ領域とを備えており、また、トレイ受け入れ領域に取り付けられる、少なくとも１つの携帯型アイテムを受け入れて保持するように構成された事前成形トレイを有する。ここで、外側スリーブは、カード及び取り付けられたトレイを受け入れるように構成された空洞を画成し、カードの係合手段をロックするための手段を備えている。外側スリーブはまた、ロック手段から係合手段を外すように構成された一体化されたリリース手段を含んでいる。
【００１４】
本発明の他の実施例は、カードを有するモノリシック的に製造されたトレイなどの、改良されたコンポーネントを含んでいる。ここで、カードを有するトレイは、限定されないが熱成形、真空成形、及び射出成形を含む当業者に周知の成形技術あるいはプロセスから製造されうる。カードを有するトレイは、第２のパネルあるいは一体化されたトレイに折り曲げ可能に取り付けられた係合パネルを含んでいる。トレイは、携帯型アイテムを受け入れて保持するように構成された少なくとも１つの凹所を備えている。１つまたは複数のアイテムに折り重なってカバーするように構成された第３のパネルは、第２のパネルあるいはトレイに同様に折り曲げ可能に取り付けられうる。この改良されたコンポーネントは、外側スリーブに挿入されるように構成されている。
【００１５】
実際には、本発明のいくつかの実施例は、ロック可能パッケージにアイテムを固定することにより、アイテムへのアクセスを阻止するように構成されている。本発明の実施例で固定されたアイテムへのアクセスを阻止するための方法は、限定されない教示の目的のための以下の順序で示される、以下のステップを備えている。係合手段と基部パネルとを有するスライドカードを提供する。少なくとも１つの受け入れ凹所を備えた事前成形トレイを基部パネルに取り付け、凹所にアイテムを置く。開口端部とアクセスを可能にする空洞とカードをロックするための手段とを有する外側スリーブを提供する。カードを開口端部に位置合わせし、係合手段をロック手段に方向付ける。カードを空洞内に完全に挿入し、係合手段及びロック手段をリリース可能に結合あるいは接続する。
【００１６】
この発明による実施例は、少なくとも、重量の軽さ、改ざんの阻止、対小児安全性、アクセスの容易さ、優れた耐久性、組み立ての容易さ、デバイスの保護、収容の容易さ、廃棄の容易さ、異なる変わった形状のデバイスを与える能力、優れた経済性などの利点を提供する。
【００１７】
本発明は、製薬に関連した物品に限定されず、デリケートな、敏感な、あるいは固有の携帯型物品に適用されることも考えられる。小さな電子コンポーネント、宝石、食品、高価で貴重な物品や、安全、安定、及び輸送して収容するための携帯型環境を必要とする任意の他のアイテムが、本発明に適用される。本発明の他の長所は、以下の説明、添付の図面、及び添付の特許請求の範囲から明らかになる。
【発明を実施するための最良の形態】
【００１８】
必要に応じて、本発明の詳細な実施例がここに開示される。開示された実施例は、本発明の単なる例示であり、様々なかつ代替の形態で実現されうることが理解されるであろう。図面は、必ずしも一定の比率ではなく、特定のコンポーネントの詳細を示すためにいくつかの特徴が誇張されるかあるいは最小化されている。他の例では、本発明が不明瞭になるのを防止するため、周知の材料あるいは方法を詳述していない。したがって、ここに開示された特定の構造及び機能の詳細は、特許請求の範囲と本発明を様々に用いる当業者への教示とを基礎にするが、限定解釈されるべきではない。
【００１９】
類似の特徴部が類似の数字で示された図面を参照すると、本発明の実施例が示されている。まず図１及び図２を参照すると、内部スライドカード１０とスライドカードトレイ１２とが示されている。図示されているように、スライドカード１０は、トレイ受け入れ領域１４においてトレイ１２を接続して受け入れるように構成されており、トレイ１２は、薬供給デバイスのようなアイテムを受け入れて収容するように構成されている。
【００２０】
ここで、「薬供給デバイス」という用語は、限定されないが人間などの体へあるいは体から物質を搬送するのに関連して使用されるすべての装置及びそのパーツを参照するために広く使用されている。限定されない一例によれば、薬供給デバイスは、錠剤、タブレット、チュアブル、エアロゾル、吸入器、経皮パッチ、座薬、注射可能デバイス、そのパーツなどの形態をなしているかあるいはその中に含まれる物質を備えている。注射可能デバイスは、製薬で患者を治療する医療専門家あるいは自身を治療する患者によって使用されるプランジャ、バレル、及びニードルを備えている。限定されない教示の目的のため、図示されたトレイの実施例は、注射可能デバイスの形態をなす薬供給デバイスを意図したものであるが、当業者は、トレイが任意の携帯型アイテムを保持するように構成されうることを直ちに理解するであろう。
【００２１】
図１に最もよく示されているように、図示されたカード１０は、基部パネル１６と、背パネル１８と、頂部パネル２０と、タブ２２とを含んでいる。それぞれのパネルは、折り曲げ線２４ａ，ｂによって画成されている。カードを構成するために使用される材料に応じて、折り曲げ線は、スコア、切断、曲げ、ミシン目、ライブヒンジ、成形ヒンジなどによって形成されている。以下で詳述するように、タブ２２は、対小児安全機能を生じさせるように第１のエレメントに協働して係合することにより、あるいは、落下防止機能を生じさせるように第２のエレメントに協働して係合することにより、ロック手段の一部として、及び／または、ストッパ手段の一部として機能しうる。
【００２２】
材料の選択に関して、スライドカード１０は、紙、板紙、厚紙、プラスチック、あるいはその組合せを含んでいてもよい。スライドカード１０が板紙を含んでいる場合、漂白された硫酸塩、固体で無漂白の硫酸塩、あるいはクレーコートの再生紙は、周知の設計事項である。一般に、板紙コーティングは、移動表面に滑らかに塗布された澱粉あるいは接着剤を有するコーティングクレー、炭酸カルシウム、及び／または二酸化チタンなどのような材料の流体混合物である。引き続く高密度化及びポリシングは、ミネラルコートの表面を優れた画像プリント表面に仕上げる。カード及び／またはトレイが紙である場合、真空成形を含んだ当業者には周知の製造技術が考えられる。カード及び／またはトレイがプラスチックである場合、熱成形、射出成形などを含んだ当業者には周知の製造技術が考えられる。スライドカード１０がプラスチックである場合、折り曲げ線２４ａ，ｂが、ライブヒンジであってもよいし、あるいは、タブ２２の係合特徴に関して以下で説明するように、折り曲げ線２４ｂが、内部バネ張力を生じさせるように上方側あるいは下方側に延びるプロフィールを有する成形ヒンジであってもよく、該内部バネ張力は、タブ２２が基部パネル１６上に一度折り曲げられたときにタブ２２を相対的に緩めて戻すようにあるいは水平な方向付けに戻すようにする。
【００２３】
図２及び図３は、事前成形トレイ１２，２６の２つの可能な代替実施例を示している。ここで両トレイ１２，２６は、当業者に周知の方法でプラスチックから構成され、かつ、様々な形状の様々なアイテムを受け入れて保持するように構成されている。また、当業者によって理解されるように、外部及び内部トレイ構造の両方は、単なる設計事項である。ここで、限定されない教示の目的のために、図示されたトレイ１２，２６の外部は、（図１に最もよく示されているように）トレイ受け入れ領域１４へ及びトレイ受け入れ領域１４内に固定されるように構成されている一方、図示されたトレイ１２，２６の内部は、薬供給デバイスを受け入れて収容するように構成されている。図示された薬供給デバイスの一方は、液体状態の薬剤を保持するためのバイアル３０であり、他方は、バイアル３０とともに使用されるべきシリンジ３２である。
【００２４】
トレイ２６は、プランジャ３４、バレル３６、指ガード３８、及びニードル４０を備えた図示されたシリンジ３２などの、実質的に均一な形状及びサイズのアイテムを受け入れて収容するように構成されている。トレイ２６は、プランジャ受け入れ凹所４２、バレル受け入れ凹所４４、及びニードル受け入れ凹所４６などの、シリンジ３２を固定して保持するための手段を備えている。凹所４２，４４，４６は、折り重なりロックフラップ、凹み、ストラップ、インサートなど（図示せず）の取り出しを阻止するための手段を含むことにより、アイテムをロックするか、さもなければ固定するように構成されていてもよい。したがって、薬供給デバイスを保持して収容するための手段は、さまざまな方法で構成されうる事前成形トレイを含んでいる。
【００２５】
図示された実施例に関して、実際には、トレイ１２，２６は、別に事前成形され、それから、単なる設計事項の位置とされるトレイ受け入れ領域１４でカード１０に固定されている。図示されない他の実施例は、モノリシック的に形成されたカード／トレイの組合せを備えている。スライドカード１０がトレイ１２，２６に一体化されたパーツであり、製造中に２つのコンポーネントが単一のユニットとして形成されることが考えられる。
【００２６】
トレイ１２は、バイアル３０及びシリンジ３２などの実質的に固有の形状及びサイズのアイテムを受け入れて収容するように構成されている。したがって、トレイ１２は、バイアル受け入れ凹所４８のような、バイアル３０を固定して保持するための手段と、直前で記載したように、シリンジ３２を固定して保持するための手段と、を備えている。凹所４８は、折り重なりロックフラップ、凹み、ストラップ、インサートなど（図示せず）の取り出しを阻止するための手段を含むことにより、アイテムをロックするか、さもなければ固定するように構成されていてもよい。当業者によって理解されるように、ここに図示された様々な凹所は、任意の形状あるいはサイズの任意の携帯型アイテムを受け入れて収容するように構成されていてもよい。
【００２７】
ここで、トレイ１２，２６はまた、アイテムへの容易なアクセスを許容するように構成されている。限定されない説明として、デバイスは、関節炎などの限られた身体的移動性を有しうる最終消費者が１つのデバイスを残りに影響を与えることなく取り出すことができるように、配置されている。図示されているように、シリンジ３２の最も幅広の部分（この例では指ガード３８）を、アクセスしやすくするために最も広いスペースに位置するように方向付けることは、この実施例の望ましい特徴である。また、そのような水平の方向付けはデバイスの容易な視認を提供し、ユーザーがそれらを容易に区別しうる。さらに、そのような方向付けは、画像を受け入れるために十分な領域を提供する。例えば、日付、曜日、及び時間を含む投与計画の指示が、凹所同士の間のあるいは凹所に隣接したトレイセクションに形成されうる。あるいは、トレイに保持されたアイテムが、要求に応じて、密接してパックされかつ位置合わせされていてもよい。
【００２８】
書面形式あるいはデジタル形式での用量順守、注意、及び指示のような患者及び健康管理提供者の情報が、パネル１６，２０、タブ２２、あるいは後述するコンポーネントの両側に見受けられる十分な掲示スペースを介して、ユーザーにとって容易に視認可能あるいはアクセス可能となる。
【００２９】
図４及び図５を参照すると、トレイ１２，２６を有する内側カード１０を受け入れるための外側スリーブ１００と、関連する外側スリーブブランク１０２と、が示されている。図４に最もよく示されているように、図示されたブランク１０２は、側部パネル１０４，１０６，１０８と、背パネル１１０と、端部パネル１１６，１１８と、延長部パネル１２０と、を含んでいる。パネル１０４，１０６，１０８は、それぞれの隣接する折り曲げ線１２４ａ，ｂとそれぞれの外側縁部１２６とによって画成されている。
【００３０】
側部パネル１０４は、リリースボタン切欠き１３２とリリースボタン折り曲げ線１３４とによって画成されたリリースボタン１３０を備えている。側部パネル１０８は、切断線１４２によって画成された第１の係合タブ切欠き１４０と、切断線１４６によって画成された第２の係合タブ切欠き１４４と、を備えている。側部パネル１０４及び１０６は、アクセス切欠き１４８をさらに備えている。後述するように、第１の係合タブ切欠き１４０と係合タブ２２とが一緒に、ロック手段の実施例を形成する一方、第２の係合タブ切欠き１４４と係合タブ２２とが一緒に、ストッパ手段の実施例を形成する。
【００３１】
組立体に関しては、図５に最もよく示されているように、ブランク１０２が、空洞１５０を画成するスリップケースとして、外側スリーブ１００を生じさせるように従来の技術を使用して折り曲げられて接続されている。ブランク１０２を折り曲げて接続する１つの順序は、図示されたブランク１０２の見える側を表側とし、反対側を裏側とすると、以下の通りである。延長部パネル１２０を、横方向の折り曲げ線１２４ｂに沿って裏側に折り曲げる。それから、側部パネル１０８を、縦方向の折り曲げ線１２４ａに沿って側部パネル１０６，１０４の下に折り曲げ、かつ、パネル１０４の下に位置させて、パネル１０８の表側がパネル１０４の裏側に固定されうるようにする。この実施例では、パネル１０８をパネル１０４に固定して、第１の係合タブ切欠き１４０がリリースボタン１３０の直下にあるようにする。言い換えると、図示された実施例では、リリースボタン１３０が、パネル１０８のいかなる固体表面によっても遮られていない。端部パネル１１６，１１８を内方側に折り曲げ、一方の端部パネルの表側が他方の裏側に固定されうるようにする。
【００３２】
一般に、アイテムが内側トレイ１２，２６内に配置され、それから、組み合わされたカード１０及びトレイ１２，２６が外側スリーブ１００の空洞１５０に挿入される。ユニット用量を保持する薬供給デバイスの例では、図示されたユニット用量パッケージングシステム（ＵＤＰＳ）が、使用のために取り出されるまでこれらのデバイスを固定する。実際には、アイテムが内側トレイ１２，２６内に配置され、それから、組み合わされたカード１０及びトレイ１２，２６が外側スリーブ１００内に挿入される前に、様々なパネル及びタブが折り曲げられる。限定されない教示の目的のため、折り曲げ順序を以下に記載する。頂部パネル２０を折り曲げることにより、トレイ１２，２６をカバーし、かつ、背パネル１８をトレイの側部に隣接するよう方向付ける。タブ２２を内方側に折り曲げ、タブ２２の表側が基部パネル１６の表側に近接するようにする。上述したように折り曲げられたカード１０については、図５に示されているように、組み合わされたカード１０及びトレイ１２，２６を、折り曲げ線２４ｂによって形成された縁部から、開口端部を通して外側スリーブ１００の空洞１５０内に挿入し、タブ２２がリリースボタン１３０に位置合わせされて受け入れられるようにする。内側トレイ１２，２６を有するカード１０はそれから、完全に閉じられた位置まで、外側スリーブ１００内に完全に挿入される。
【００３３】
図５を継続して参照すると、当業者によって理解されるように、内方側に折り曲げられたタブ２２によって生じたバネ張力が、タブ縁部１５４をパネル１０８の内部側面に接触させる。内部側面に沿った２つの特定の接触ポイントが留意される。完全に閉じられた位置からは、ロック位置Ａにおいて、切欠き１４０の内部縁部１５６に対するタブ縁部１５４の係合が、対小児安全機能を提供する。完全に開かれた位置からは、ストップ位置Ｂにおいて、折り曲げられた延長部パネル１２０の内部に対するタブ縁部１５４の係合が、落下防止機能を提供する。切欠き１４４は、タブ縁部１５４を効率的に係合させるような形状とされうる。図示されているように、切欠き１４４は、パネル１２０が折り曲げられたときに、タブ縁部１５４の半円形凸状プロフィールにしっかりと係合する半円形凹状プロフィールを提供する。当業者によって理解されるように、これらの係合プロフィール形状は、単なる設計事項であって本発明を限定するものではない。ＵＤＰＳの実施例は、対小児安全機能あるいは落下防止機能のいずれかあるいは両方がなくても構成されうることが理解されるであろう。
【００３４】
図示された実施例では、ロック機能部が、リリースボタン１３０と切欠き１４０と協働的係合タブ２２とを含んでいる。折り曲げられたタブ２２によって生じるバネ張力は、タブ縁部１５４を切欠き１４０の内部縁部１５６に係合させる。タブ２２及び内部縁部１５６が係合すると、内側トレイ１２，２６は、外側スリーブ１００内にロックされ、アクセスすることができない。このロック手段は、対小児安全機能を生じさせる。図示されているように、内部縁部１５６は、タブ縁部１５４の半円形凸状プロフィールにしっかりと係合する半円形凸状プロフィールを有している。この実施例の対小児安全機能のロックを外し、それによってトレイ１２，２６にアクセスするためには、ユーザーは、リリースボタン１３０を押し、次いで内部縁部１５６からタブ縁部１５４を外すためにタブ２２を押し下げる。
【００３５】
オプションの対小児安全機能をリリースした後に、内側カード１０が、完全に開いた位置まで外側スリーブ１００から引き出されうる。図示された実施例では、タブ２２がストップ位置Ｂで折り曲げられた延長部パネル１２０の内部に係合したときに、完全に開いた位置が生じる。当業者によって理解されるように、折り曲げられたタブ２２によって生じるバネ張力は、タブ２２を延長部パネル１２０の折り曲げられた内部に係合させる。一旦係合されると、カード１０は、外側スリーブ１００からさらに取り出されることはできないが、必要に応じて完全に閉じられた位置まで元通りに挿入されうる。このように、タブ２２は、内側カード１０がスリーブ１００から完全に引き出されることを防止して、落下防止機能部として作用する。
【００３６】
ロック手段及びストッパ手段は様々な実施例が考えられることが理解されるであろう。例えば、図示された実施例において、延長部パネル１２０は、側部パネル１０８に取り付けられているのではなく、カード１０がスリーブ１００から取り出されたときに折り曲げタブ２２をキャッチしてこれに係合するように、空洞１５０内へ下方側へ延びて、それによってストッパ手段を形成することが許容される。他の実施例では、延長部パネル１２０が内方側に折り曲げられ、また、パネル１２０，１０８のそれぞれの裏側が取り付けられて、延長部パネル縁部１５２がタブ縁部１５４に当接し、それによってストッパ手段を形成する。図示された実施例では、第１の切欠き１４０と係合タブ２２とが、それぞれの縁部１５４，１５６の係合を容易にするとともにロック手段を形成する類似のプロフィールを有している。他の実施例では、タブ２２あるいはタブ縁部１５４にしっかりと係合する、パネル、タブ、切欠き、リブ、オフセット、キャッチ、孔、受面、縁部、同様のエレメントなどから構成された空洞１５０内の任意の縁部あるいは突起が、代替ロック手段、あるいは代替ストッパ手段を形成する。さらに他の実施例では、タブ２２あるいは縁部１５４が、ロック手段及びストッパ手段を生じさせるように、トレイ１２，２６に接続されている。
【００３７】
ユーザーは、望むたびに外側スリーブ１００内の内側トレイ１２，２６を引き出しかつ交換することによって、ＵＤＰＳを開閉しうる。図示された実施例について、完全に閉じられた位置から、ユーザーは、側部パネル１０４，１０６に設けられたアクセス切欠き１４８を介して、背パネル１８に隣接する頂部パネル２０及び底部パネル１６でカード１０を把持する。ユーザーはそれから、ロック手段を外すためにリリースボタン１３０を押し下げる。カード／トレイを把持して横に引き出している間にボタン１３０を押し下げ続けることは、スリーブ１００からトレイ１２，２６を引き出すことになる。完全に開いた位置から、ユーザーは、トレイ１２，２６に保持されたアイテムにアクセスするために、オプションの頂部パネル２０を裏側に折り曲げる。所望のアイテムにアクセスした後、ユーザーは、頂部パネル２０を裏側へトレイ１２，２６上に折り曲げ、将来の使用のためにスリーブ１００内にカード１０を元通りに挿入する。
【００３８】
使い終った薬供給デバイスと一緒に廃棄されるように構成された他の実施例（図示せず）は、ＵＳＰＳを備えたラベル付きビニール袋内に配置され、それによってその内容物を知らせるようにしてもよい。限定されない説明のため、一緒に廃棄できるまで薬供給デバイスを保持する実施例を保護して密封するためのさらなる手段は、スリーブ１００を受け入れるのに十分大きい、販売可能なバッグ、自己密封式外側スリーブ、販売可能な外側スリーブを含んでいる。同様に、内容物を知らせるラベルテープ付きのスリーブ内に内側トレイをテーピングすることは、保護及び固定手段である。
【００３９】
本発明は、図示された製薬に関連する物品に限定されることはなく、デリケートな、敏感な、あるいは固有の多くの携帯型物品に適用されることが考えられる。限定されない一例のため、小さな電子コンポーネント、宝石、食品、高価で貴重な物品や、安全、安定、及び輸送して収容するための携帯型環境を必要とする任意の他のアイテムが、本発明に適用される。さらに、特許請求の範囲で規定された本発明の範囲から逸脱することなく、開示された装置および方法に対して変形、修正、及び改良をなしうることが理解されるであろう。
【図面の簡単な説明】
【００４０】
【図１】スライドカードブランクの実施例の平面図である。
【図２】事前成形トレイの実施例の平面図である。
【図３】事前成形トレイの他の実施例の平面図である。
【図４】外側スリーブブランクの実施例の平面図である。
【図５】本発明の完全に構成された実施例の等角図である。
【符号の説明】
【００４１】
１０  カード
１２  トレイ
１４  トレイ受け入れ領域
１６  基部パネル
１８  背パネル
２０  頂部パネル
２２  タブ
２４ａ，ｂ  折り曲げ線
２６  トレイ
３０  バイアル
３２  シリンジ
３４  プランジャ
３６  バレル
３８  指ガード
４０  ニードル
４２  プランジャ受け入れ凹所
４４  バレル受け入れ凹所
４６  ニードル受け入れ凹所
１００  外側スリーブ
１０２  ブランク
１０４，１０６，１０８  側部パネル
１１０  背パネル
１１６，１１８  端部パネル
１２０  延長部パネル
１２４ａ，ｂ  折り曲げ線
１２６  外側縁部
１３０  リリースボタン
１３２  リリースボタン切欠き
１３４  リリースボタン折り曲げ線
１４０  第１の係合タブ切欠き
１４２  切断線
１４６  切断線
１４４  第２の係合タブ切欠き
１４８  アクセス切欠き
１５０  空洞
１５４  タブ縁部
１５６  内部縁部
【図１】
2007511433.tif 000003
【図２】
2007511433.tif 000004
【図３】
2007511433.tif 000005
【図４】
2007511433.tif 000006
【図５】
2007511433.tif 000007
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
アイテムを受け入れて固定するためのデバイスにおいて、該デバイスが、
第１の係合縁部（１５４）を含む係合エレメント（２２）とトレイ受け入れ領域（１４）とを有したスライドカード（１０）と、
携帯型アイテム（３０，３２）を受け入れて保持するように構成される、トレイ受け入れ領域に取り付けられた事前成形トレイ（１２）と、
スライドカードと取り付けられたトレイとを受け入れるように構成され、かつ複数の側部パネル（１０４、１０６、１０８）を含む外側スリーブ（１００）と、
を備えており、
第１の側部パネル（１０８）が、第２の側部パネル（１０４）に面接触するように構成され、
延長部パネル（１２０）が、第３の側部パネル（１０６）に隣接する第１の側部パネルの縁部にヒンジ接続され、
第１の側部パネルと延長部パネルとの両方に共通の孔（１４４）が、延長部パネルが外側スリーブの内方側に折り曲げられたときに、該孔が第１の係合縁部と相補的な第２の係合縁部を形成してスライドの分離を防止するとともに外側スリーブを形成するように、サイズ設定されて配置されている
ことを特徴とするデバイス。
【請求項２】
請求項１に記載のデバイスにおいて、
ロック位置で係合エレメントに接続されるように構成されたロックエレメントと、
スライドカードが外側スリーブから少なくとも部分的に引き出されるのを許容するために前記ロックエレメントから前記係合エレメントを外すように構成される、前記外側スリーブに一体化されたリリースエレメントと、
を備えていることを特徴とするデバイス。
【請求項３】
請求項１に記載のデバイスにおいて、
前記第２の材料が第１の材料から構成され、前記トレイが第２の材料から構成されていることを特徴とするデバイス。
【請求項４】
請求項３に記載のデバイスにおいて、
前記第２の材料がプラスチックであることを特徴とするデバイス。
【請求項５】
請求項１に記載のデバイスにおいて、
前記係合エレメントが前記トレイに位置していることを特徴とするデバイス。
【請求項６】
請求項１に記載のデバイスにおいて、
トレイが、前記携帯型アイテムを受け入れて保持するように構成された少なくとも１つの受け入れ凹所を備えていることを特徴とするデバイス。
【請求項７】
請求項１に記載のデバイスにおいて、
前記外側スリーブが、ストップ位置で前記係合エレメントを接続するように構成された内部孔をさらに備えていることを特徴とするデバイス。
【請求項８】
アイテムを受け入れて保持するためのデバイスにおいて：
少なくとも第１のパネルと該第１のパネルに配置された少なくとも１つのトレイ受け入れ領域とを含む、第１の材料から構成されたスライドカードと；
前記トレイ受け入れ領域で前記カードに取り付けられる、第２の材料から構成されるとともに少なくとも１つの受け入れ凹所を含む少なくとも１つの事前成形トレイと；
空洞を画成し、前記カード及び取り付けられたトレイを前記空洞内に及び前記空洞から移動させうるように構成された開口端部を含む外側スリーブと；
を備えていることを特徴とするデバイス。
【請求項９】
請求項８に記載のデバイスにおいて、
前記スライドカードが、前記第１のパネル及び前記トレイのうちの少なくとも一方に接続された係合エレメントをさらに備えていることを特徴とするデバイス。
【請求項１０】
請求項９に記載のデバイスにおいて、
前記外側スリーブが、ロック位置で前記係合エレメントにリリース可能に接続されるように構成されたロックエレメントをさらに備えていることを特徴とするデバイス。
【請求項１１】
請求項１０に記載のデバイスにおいて、
前記外側スリーブが、前記ロックエレメントから前記係合エレメントを外すように構成されたリリースをさらに備えていることを特徴とするデバイス。
【請求項１２】
請求項１１に記載のデバイスにおいて、
前記外側スリーブが、ストップ位置で前記係合エレメントに接続されるように構成されたストッパエレメントをさらに備えていることを特徴とするデバイス。
【請求項１３】
アイテムを受け入れて固定するためのデバイスにおいて：
係合手段と少なくとも１つのトレイ受け入れ領域とを含むスライドカードと；
少なくとも１つの携帯型アイテムを受け入れて保持するように構成される、前記トレイ受け入れ領域に取り付けられた少なくとも１つの事前成形トレイと；
開口端部と前記係合手段をロックするための手段とを含む、前記カード及び取り付けられたトレイを受け入れるように構成された空洞を画成する外側スリーブと；
前記ロック手段から前記係合手段を外すように構成される、前記外側スリーブに一体化されたリリース手段と；
を備えていることを特徴とするデバイス。
【請求項１４】
請求項１２に記載の、請求項１３に記載のデバイスにおいて、
前記係合手段が、前記ロック手段に協働して接続されるように構成される、前記カード及び前記トレイのうちの少なくとも一方に位置するエレメントを備えていることを特徴とするデバイス。
【請求項１５】
請求項１４に記載のデバイスにおいて、
前記ロック手段が、前記係合手段に協働して接続されるように構成される、前記空洞内に位置するエレメントを備えていることを特徴とするデバイス。
【請求項１６】
請求項１５に記載のデバイスにおいて、
前記リリース手段が、前記外側スリーブの外部に沿うとともに前記ロックエレメントに近接して位置する機構を備えていることを特徴とするデバイス。
【請求項１７】
請求項１３に記載のデバイスにおいて、
ストッパ手段をさらに備えていることを特徴とするデバイス。
【請求項１８】
隣接する複数のパネルから形成された折り曲げ可能トレイカードにおいて：
第１の縁部と離間したヒンジとによって画成された係合パネルと；
前記ヒンジと離間した第２の縁部とによって画成された第２のパネルと；
前記第２のパネルに一体化されたトレイと；
アイテムを受け入れて保持するように構成される、前記トレイ内に位置する少なくとも１つの受け入れ凹所と；
前記アイテムに折り重なってカバーするように構成される、前記第２の縁部及び前記トレイのうちの少なくとも一方に折り曲げ可能に取り付けられた第３のパネルと；
を備えていることを特徴とする折り曲げ可能トレイカード。
【請求項１９】
請求項１８に記載のデバイスにおいて、
前記パネル及び前記トレイが、熱成形プロセスを使用して製造されていることを特徴とするデバイス。
【請求項２０】
請求項１７に記載のデバイスにおいて、
前記パネル及び前記トレイが、射出成形プロセスを使用して製造されていることを特徴とするデバイス。
【請求項２１】
アイテムへのアクセスを阻止する方法において：
基部パネルを備えたスライドカードを提供するステップと；
少なくとも１つの受け入れ凹所を備えた事前成形トレイを前記基部パネルに取り付けるステップと；
前記カード及び前記トレイのうちの少なくとも一方に関連する係合手段を提供するステップと；
前記受け入れ凹所にアイテムを置くステップと；
開口端部と隣接する空洞とを有し、ロック手段をさらに備えた外側スリーブを提供するステップと；
前記カードを前記開口端部に位置合わせするステップと；
前記係合手段を前記ロック手段に方向付けるステップと；
前記カード及びトレイを前記空洞内に完全に挿入するステップと；
前記係合手段と前記ロック手段とをリリース可能に接続するステップと；
を備えていることを特徴とする方法。
【請求項２２】
請求項２０に記載の方法において、
前記外側スリーブを提供するステップが、リリース手段を有する外側スリーブを提供するステップをさらに備え、前記リリース手段が、前記係合手段と前記ロック手段とを外すように構成されていることを特徴とする方法。
【請求項２３】
請求項２１に記載の方法において、
前記トレイを前記空洞から少なくとも部分的に引き出すために、前記リリース手段を操作するステップをさらに備えていることを特徴とする方法。
【請求項２４】
請求項２２に記載の方法において、
前記アイテムを前記凹所から取り出すステップをさらに備えていることを特徴とする方法。
【手続補正２】
【補正対象書類名】明細書
【補正対象項目名】００１０
【補正方法】変更
【補正の内容】
【００１０】
代表的な実施例では、係合手段は、カードあるいはトレイに一体化されるかあるいは取り付けられた、パネル、タブ、キャッチ、リブ、キャッチ、受面、縁部、切欠き、孔、及びその他のエレメントなどを含んでおり、これらは、外側スリーブに関連した類似のエレメントに接続されるように構成されて、ここではロック手段として参照されている。リリース手段は、外側スリーブに一体化されるかあるいは取り付けられた、パネル、タブ、リブ、受面、縁部、切欠き、キャッチ、孔、及びその他のエレメントなどを含んでおり、これらは、係合されるかあるいはロックされたエレメントを外すように構成されている。したがって、本発明は、オプションの対小児安全機能を提供する。ストッパ手段は、カードあるいはトレイに一体化されるかあるいは取り付けられた、パネル、タブ、リブ、キャッチ、受面、孔、縁部、切欠き、及びその他のエレメントなどを備えており、これらは、外側スリーブに関連した類似のエレメントに噛み合って係合するように構成されている。したがって、本発明は、ユーザーがトレイを外側スリーブから完全に引き出すのを防止する、オプションの落下防止機能を提供する。
本発明の第１の観点によれば、
アイテムを受け入れて固定するための装置において、該デバイスが、
第１の係合縁部を含む係合エレメントとトレイ受け入れ領域とを有したスライドカードと、
携帯型アイテムを受け入れて保持するように構成される、トレイ受け入れ領域に取り付けられる事前成形トレイと、
スライドカード及び取り付けられたトレイを受け入れるように構成され、かつ複数の側部パネルを備えた外側スリーブと、
を備えており、
第１の側部パネルが、第２の側部パネルに面接触するように構成され、該第１の側部パネルは、第３の側部パネルに隣接する縁部にヒンジ接続された延長部パネルを備え、
孔が、第１の側部パネル及び延長部パネルから切り出され、該孔が、延長部パネルが外側スリーブの内方側に折り曲げられたときに、該孔が第１の係合縁部と相補的な第２の係合縁部を形成して外側スリーブからのスライドカードの分離を防止するように、サイズ設定されて配置されている、
装置が提供される。
好ましくは、装置は、ロック位置で前記エレメントに接続されるように構成されたロックエレメントと、スライドカードが外側スリーブから少なくとも部分的に引き出されるのを許容するために前記ロックエレメントから前記係合エレメントを外すように構成される、前記外側スリーブに一体化されたリリースエレメントと、を備えている。
好ましくは、カードが第１の材料から構成され、前記トレイが第２の材料から構成されている。
好ましくは、第２の材料がプラスチックである。
好ましくは、係合エレメントが前記トレイに位置している。
好ましくは、トレイが、前記携帯型アイテムを受け入れて保持するように構成された少なくとも１つの受け入れ凹所を備えている。
好ましくは、外側スリーブが、ストップ位置で前記係合エレメントを接続するように構成された内部孔をさらに備えている。
本発明の第２の観点によれば、
アイテムを受け入れて保持するための装置において：
少なくとも第１のパネルと該第１のパネルに配置された少なくとも１つのトレイ受け入れ領域とを含む、第１の材料から構成されたスライドカードと；
少なくとも１つの受け入れ凹所を含み、前記トレイ受け入れ領域で前記カードに取り付けられる、第２の材料から構成された少なくとも１つの事前成形トレイと、
空洞を画成し、前記カード及び取り付けられたトレイを前記空洞内に移動させうるように構成された開口端部を含む外側スリーブと；
を備えている装置が提供される。
好ましくは、スライドカードが、前記第１のパネル及び前記トレイのうちの少なくとも一方に接続された係合エレメントをさらに備えている。
好ましくは、外側スリーブが、ロック位置で前記係合エレメントにリリース可能に接続されるように構成されたロックエレメントをさらに備えている。
好ましくは、外側スリーブが、前記ロックエレメントから前記係合エレメントを外すように構成されたリリースをさらに備えている。
好ましくは、外側スリーブが、ストップ位置で前記係合エレメントに接続されるように構成されたストッパエレメントをさらに備えている。
本発明の第３の観点によれば、
アイテムを受け入れて固定するための装置において：
係合手段と少なくとも１つのトレイ受け入れ領域とを含むスライドカードと；
少なくとも１つの携帯型アイテムを受け入れて保持するように構成される、前記トレイ受け入れ領域に取り付けられた少なくとも１つの事前成形トレイと；
開口端部と前記係合手段をロックするための手段とを含む、前記カード及び取り付けられたトレイを受け入れるように構成された空洞を画成する外側スリーブと；
前記ロック手段から前記係合手段を外すように構成される、前記外側スリーブに一体化されたリリース手段と；
を備えている装置が提供される。
好ましくは、係合手段が、前記ロック手段に協働して接続されるように構成される、前記カード及び前記トレイのうちの少なくとも一方に位置するエレメントを備えている。
好ましくは、ロック手段が、前記係合手段に協働して接続されるように構成される、前記空洞内に位置するエレメントを備えている。
好ましくは、リリース手段が、前記外側スリーブの外部に沿うとともに前記ロックエレメントに近接して位置する機構を備えている。
好ましくは、装置が、ストッパ手段をさらに備えている。
本発明の第４の観点によれば、
隣接する複数のパネルから形成された折り曲げ可能トレイカードにおいて：
第１の縁部と離間したヒンジとによって画成された係合パネルと；
前記ヒンジと離間した第２の縁部とによって画成された第２のパネルと；
前記第２のパネルに一体化されたトレイと；
アイテムを受け入れて保持するように構成される、前記トレイ内に位置する少なくとも１つの受け入れ凹所と；
前記アイテムに折り重なってカバーするように構成される、前記第２の縁部及び前記トレイのうちの少なくとも一方に折り曲げ可能に取り付けられた第３のパネルと；
を備えている折り曲げ可能トレイカードが提供される。
好ましくは、パネル及び前記トレイが、熱成形プロセスを使用して製造されている。
好ましくは、パネル及び前記トレイが、射出成形プロセスを使用して製造されている。
本発明の第５の観点によれば、
アイテムへのアクセスを阻止する方法において：
基部パネルを備えたスライドカードを提供するステップと；
少なくとも１つの凹所を備えた事前成形トレイを前記基部パネルに取り付けるステップと；
前記カード及び前記トレイのうちの少なくとも一方に関連する係合手段を提供するステップと；
前記受け入れ凹所にアイテムを置くステップと；
開口端部と隣接する空洞とを有し、ロック手段をさらに備えた外側スリーブに提供するステップと；
前記カードを前記開口端部に位置合わせするステップと；
前記係合手段を前記ロック手段に方向付けるステップと；
前記カード及びトレイを前記空洞内に完全に挿入するステップと；
前記係合手段と前記ロック手段とをリリース可能に接続するステップと；
を備えている方法が提供される。
好ましくは、外側スリーブを提供するステップが、リリース手段を有する外側スリーブを提供するステップをさらに備え、前記リリース手段が、前記係合手段と前記ロック手段とを外すように構成されている。
好ましくは、該方法が、前記トレイを前記空洞から少なくとも部分的に引き出すために、前記リリース手段操作するステップをさらに備えている。
好ましくは、該方法が、前記アイテムを前記凹所から取り出すステップをさらに備えている。
【手続補正３】
【補正対象書類名】明細書
【補正対象項目名】００２３
【補正方法】変更
【補正の内容】
【００２３】
図４及び図５は、事前成形トレイ１２，２６の２つの可能な代替実施例を示している。ここで両トレイ１２，２６は、当業者に周知の方法でプラスチックから構成され、かつ、様々な形状の様々なアイテムを受け入れて保持するように構成されている。また、当業者によって理解されるように、外部及び内部トレイ構造の両方は、単なる設計事項である。ここで、限定されない教示の目的のために、図示されたトレイ１２，２６の外部は、（図１に最もよく示されているように）トレイ受け入れ領域１４へ及びトレイ受け入れ領域１４内に固定されるように構成されている一方、図示されたトレイ１２，２６の内部は、薬供給デバイスを受け入れて収容するように構成されている。図示された薬供給デバイスの一方は、液体状態の薬剤を保持するためのバイアル３０であり、他方は、バイアル３０とともに使用されるべきシリンジ３２である。
【手続補正４】
【補正対象書類名】明細書
【補正対象項目名】００２９
【補正方法】変更
【補正の内容】
【００２９】
図３及び図１を参照すると、トレイ１２，２６を有する内側カード１０を受け入れるための外側スリーブ１００と、関連する外側スリーブブランク１０２と、が示されている。図３に最もよく示されているように、図示されたブランク１０２は、側部パネル１０４，１０６，１０８と、背パネル１１０と、端部パネル１１６，１１８と、延長部パネル１２０と、を含んでいる。パネル１０４，１０６，１０８は、それぞれの隣接する折り曲げ線１２４ａ，ｂとそれぞれの外側縁部１２６とによって画成されている。
【手続補正５】
【補正対象書類名】明細書
【補正対象項目名】００３１
【補正方法】変更
【補正の内容】
【００３１】
組立体に関しては、図１に最もよく示されているように、ブランク１０２が、空洞１５０を画成するスリップケースとして、外側スリーブ１００を生じさせるように従来の技術を使用して折り曲げられて接続されている。ブランク１０２を折り曲げて接続する１つの順序は、図示されたブランク１０２の見える側を表側とし、反対側を裏側とすると、以下の通りである。延長部パネル１２０を、横方向の折り曲げ線１２４ｂに沿って裏側に折り曲げる。それから、側部パネル１０８を、縦方向の折り曲げ線１２４ａに沿って側部パネル１０６，１０４の下に折り曲げ、かつ、パネル１０４の下に位置させて、パネル１０８の表側がパネル１０４の裏側に固定されうるようにする。この実施例では、パネル１０８をパネル１０４に固定して、第１の係合タブ切欠き１４０がリリースボタン１３０の直下にあるようにする。言い換えると、図示された実施例では、リリースボタン１３０が、パネル１０８のいかなる固体表面によっても遮られていない。端部パネル１１６，１１８を内方側に折り曲げ、一方の端部パネルの表側が他方の裏側に固定されうるようにする。
【手続補正６】
【補正対象書類名】明細書
【補正対象項目名】００３３
【補正方法】変更
【補正の内容】
【００３３】
図１を継続して参照すると、当業者によって理解されるように、内方側に折り曲げられたタブ２２によって生じたバネ張力が、タブ縁部１５４をパネル１０８の内部側面に接触させる。内部側面に沿った２つの特定の接触ポイントが留意される。完全に閉じられた位置からは、ロック位置Ａにおいて、切欠き１４０の内部縁部１５６に対するタブ縁部１５４の係合が、対小児安全機能を提供する。完全に開かれた位置からは、ストップ位置Ｂにおいて、折り曲げられた延長部パネル１２０の内部に対するタブ縁部１５４の係合が、落下防止機能を提供する。切欠き１４４は、タブ縁部１５４を効率的に係合させるような形状とされうる。図示されているように、切欠き１４４は、パネル１２０が折り曲げられたときに、タブ縁部１５４の半円形凸状プロフィールにしっかりと係合する半円形凹状プロフィールを提供する。当業者によって理解されるように、これらの係合プロフィール形状は、単なる設計事項であって本発明を限定するものではない。ＵＤＰＳの実施例は、対小児安全機能あるいは落下防止機能のいずれかあるいは両方がなくても構成されうることが理解されるであろう。
【手続補正７】
【補正対象書類名】明細書
【補正対象項目名】００４０
【補正方法】変更
【補正の内容】
【００４０】
【図１】本発明の完全に構成された実施例の等角図である。
【図２】スライドカードブランクの実施例の平面図である。
【図３】外側スリーブブランクの他の実施例の平面図である。
【図４】事前成形トレイの実施例の平面図である。
【図５】事前成形トレイの他の実施例の平面図である。
【手続補正８】
【補正対象書類名】図面
【補正対象項目名】全図
【補正方法】変更
【補正の内容】
【図１】
2007511433.tif 000008
【図２】
2007511433.tif 000009
【図３】
2007511433.tif 000010
【図４】
2007511433.tif 000011
【図５】
2007511433.tif 000012
【国際調査報告】
2007511433.tif 000013
2007511433.tif 000014